(57)【要約】【課題】新しくホストとデバイス間にてＣＣの関連付けを行う場合、ケーブルアソシエーション操作を行わずにホストとデバイス間にてワイヤレスＵＳＢ通信を容易に実行する。【解決手段】ワイヤレスＵＳＢ通信を開始する前に、デバイス１４Ａとホスト１１Ａ間でＣＣを用いてアソシエーションを行うワイヤレスＵＳＢ通信方法であって、前記ＣＣを予め前記デバイス１４Ａ側のCC記憶領域及１５Ａ及び前記ホスト１１Ａ側のCC記憶領域１３に書き込んでおき、前記CC記憶領域１３、１５Ａに書き込まれた前記ＣＣを使用して、デバイス１４Ａとホスト１１Ａ間でアソシエーションを自動的に実行してワイヤレスＵＳＢ通信を瞬時に開始する。【選択図】  図１
2009206972.tif 000002
【特許請求の範囲】
【請求項１】
ワイヤレスＵＳＢ通信を開始する前に、ＣＣ(Connection Context）を用いてデバイスとホスト間でアソシエーションを行うワイヤレスＵＳＢ通信方法であって、
前記ＣＣを前記デバイス側のCC記憶領域及び前記ホスト側のCC記憶領域に書き込むステップと、
該CC記憶領域に書き込まれた前記ＣＣを使用して該デバイスとホスト間でアソシエーションを行ってワイヤレスＵＳＢ通信を開始するステップとを備えることを特徴とするワイヤレスＵＳＢ通信方法。
【請求項２】
デバイスとホスト間でＣＣ(Connection Context）を用いてアソシエーションを行うワイヤレスＵＳＢ通信装置であって、
前記デバイス側のCC記憶領域及び前記ホスト側のCC記憶領域に前記ＣＣを書き込む書き込み手段と、
該デバイス側のCC記憶領域及び前記ホスト側のCC記憶領域に書き込まれた前記ＣＣを使用して該デバイスとホスト間でアソシエーションを行うアソシエーション処理手段とを備えることを特徴とするワイヤレスＵＳＢ通信装置。
【発明の詳細な説明】
【技術分野】
【０００１】
本発明は  ワイヤレスＵＳＢ通信方法及びその装置に関するものであり、特に、ＷＵＳＢ機器を使用するＰＣ（ホスト）及びその周辺機器（ワイヤレスＵＳＢ通信デバイス）間におけるワイヤレスＵＳＢ通信方法及びその装置に関するものである。
【背景技術】
【０００２】
従来、前記ＷＵＳＢ規格は、ＵＷＢ（超広帯域無線）を使用したワイヤレス（最大10m程度）規格であって、ホストとデバイス間においてワイヤレスＵＳＢ通信を行う際は、事前にセキュリティ上安全な接続を行うために、CHID（Connection Host ID）、CDID（Connection Device ID）及び CK(Connection Key)の３つの情報を含むCC（Connection Context）の認証処理（関連付け処理）、即ち、アソシエーション操作処理を行うことが規定されている。
【０００３】
尚、前記CHID、CDID、 CK及びCCの技術的な用語は、Wireless Universal Serial Bus Specification, Revision 1.0（ＷＵＳＢ標準仕様） に記載され、一般的に用いられている。
【０００４】
前記ＷＵＳＢ通信方式では、ホストとデバイス間の距離が3m程度以内であれば、有線のＵＳＢ通信と同等に480Mbpsでの通信が可能になり、また、前記距離が10m離れていても110Mbpsを確保でき、有線ＵＳＢ通信と同様に1台のパソコンに最大127台の付属機器を同時に接続することができる。
【０００５】
従来、前記アソシエーションとしては、ケーブルアソシエーションとニューメリックアソシエーションの２種類がある。該ニューメリックアソシエーションは、デバイス側にも表示装置が必要であるために、例えばＨＤＤの如き表示装置を備えないデバイスでは、ケーブルアソシエーションによって対応している（例えば特許文献１参照）。
【０００６】
前記ケーブルアソシエーションにおいて、実際にホストとデバイス間にて前記ＣＣ（コネクションコンテクスト）を行うには、ホストとデバイス間をＵＳＢケーブルにより接続しなければならない。すなわち、ホストとデバイス間にて前記ケーブルアソシエーションを実現するには下記の操作が必要になる。先ず、前記ホストにＰＣを接続（ＵＳＢ接続等）し、次に、該ホストとデバイスをＵＳＢケーブルによって接続した後、ケーブルアソシエーション操作を実行する。
【０００７】
前記ケーブルアソシエーションを実行する際、前記CHID（コネクションホストＩＤ）とCDID（コネクションデバイスＩＤ）からCK（コネクションキー）を生成し、該３つの情報をコネクションコンテクストとしてホスト側及びデバイス側に夫々記憶させる。そして、次回に前記ホストとデバイスを接続したとき、コネクションコンテクストによって固有のコネクションキーを使用することで、該ホストとデバイス間でセキュリティを確保したワイヤレスＵＳＢ通信が可能になる。
【０００８】
従来のケーブルアソシエーションの具体的な操作手順を図６、図７及び図８に基づいて詳述する。図中、１Ａはホスト(CHID=1)、２はＣＣ記憶領域(HDDのレジストリ等）３を有するＰＣ、４ＡはＣＣ記憶領域５Ａを有するデバイス(CDID=1)である。
【０００９】
先ず、前記ホスト(CHID=1)１Ａにデバイス(CDID=1)４Ａを接続して使用したい場合は、図６に示すように、例えばＰＣ２にホスト(CHID=1)１Ａを接続（ＵＳＢ接続等）し、且つ、該ＰＣ２とデバイス(CDID=1)４ＡをＵＳＢケーブル６によって接続する。
【００１０】
この後、ケーブルアソシエーション操作を実行することにより、図示例のようにＰＣ２側（ホスト１Ａ側）のCC記憶領域３及びデバイス(CDID=1)側４ＡのCC記憶領域５Ａに、CHID（１）、CDID（１）及びCK（１１）からなるコネクションコンテクストCCが夫々書き込まれる。
【００１１】
次に、前記デバイス(CDID=1)４Ａとは別のデバイス(CDID=２)４Ｂを前記ホスト(CHID=1)１Ａに接続して使用したい場合は、上記処理と同様の手順によって行うことができる。即ち、図７に示すように、まず前記ＰＣ２と該デバイス(CDID=２)４ＢをＵＳＢケーブル６で接続する。
【００１２】
この後、ケーブルアソシエーション操作を実行することにより、前記ＰＣ２側（ホスト１Ａ側）のCC記憶領域３及びデバイス(CDID=２)側４ＢのCC記憶領域５Ｂに、CHID（１）、CDID（２）及びCK（１２）からなるコネクションコンテクストCCが夫々書き込まれる。
【００１３】
さらに、上記ホスト(CHID=１)１Ａとは別のホスト(CHID=２)１Ｂを前記デバイス(CDID=１)４Ａに接続して使用したい場合は、図８に示すように、まずホスト(CHID=２)１Ｂが接続されたＰＣ２に、前記デバイス(CDID=１)４ＡをＵＳＢケーブル６により接続させる。
【００１４】
この後、ケーブルアソシエーション操作を実行することにより、前記ＰＣ２側（ホスト１Ｂ側）のCC記憶領域３及びデバイス(CDID=１)４Ａ側のCC記憶領域５Ａに、CHID（２）、CDID（１）及びCK（２１）からなるコネクションコンテクストCCが夫々書き込まれる。
【特許文献１】特開２００４−３６２５４４号公報
【発明の開示】
【発明が解決しようとする課題】
【００１５】
このように従来技術によれば、新たにワイヤレスＵＳＢ通信を行うべく、ホストとデバイス間にてコネクションコンテクストCCの関連付けを行う場合、ユーザはその都度煩雑なケーブルアソシエーション操作を行う必要がある。特に、特定のホストとデバイス間においてセキュリティに問題がないと判明している場合、上記ケーブルアソシエーション操作を毎回行うことは、ユーザにとって非常に煩わしい作業になるという問題があった。
【００１６】
そこで、新たにホストとデバイス間でコネクションコンテクストCCの関連付けを行う場合、上記ＵＳＢケーブルによる煩わしいアソシエーション操作を行うことなく、前記ホストとデバイス間でワイヤレスＵＳＢ通信を即座瞬時に実行できるようにするために解決すべき技術的課題が生じてくるのであり、本発明は該課題を解決することを目的とする。
【課題を解決するための手段】
【００１７】
本発明は上記目的を達成するために提案されたものであり、請求項１記載の発明は、ワイヤレスＵＳＢ通信を開始する前に、ＣＣ(Connection Context）を用いてデバイスとホスト間でアソシエーションを行うワイヤレスＵＳＢ通信方法であって、前記ＣＣを前記デバイス側のCC記憶領域及び前記ホスト側のCC記憶領域に書き込むステップと、該CC記憶領域に書き込まれた前記ＣＣを使用して該デバイスとホスト間でアソシエーションを行ってワイヤレスＵＳＢ通信を開始するステップとを備えることを特徴とするワイヤレスＵＳＢ通信方法を提供する。
【００１８】
このワイヤレスＵＳＢ通信方法によれば、新たにワイヤレスＵＳＢ通信を行うデバイス側のCC記憶領域とホスト側のCC記憶領域には、ワイヤレスＵＳＢ通信を開始するのに必要なＣＣが事前に書き込まれている。したがって、前記ホストとデバイス間にてワイヤレスＵＳＢ通信を開始する際は、予め書き込まれている前記ＣＣを使用してアソシエーションが実行されるので、従来のケーブルアソシエーション操作を必要とせず、前記デバイスとホスト間でワイヤレス通信を即座に行える。
【００１９】
請求項２記載の発明は、デバイスとホスト間でＣＣ(Connection Context）を用いてアソシエーションを行うワイヤレスＵＳＢ通信装置であって、前記デバイス側のCC記憶領域及び前記ホスト側のCC記憶領域に前記ＣＣを書き込む書き込み手段と、該デバイス側のCC記憶領域及び前記ホスト側のCC記憶領域に書き込まれた前記ＣＣを使用して該デバイスとホスト間でアソシエーションを行うアソシエーション処理手段とを備えてなるワイヤレスＵＳＢ通信装置を提供する。
【００２０】
この構成によれば、新しくワイヤレスＵＳＢ通信を行うデバイス側のCC記憶領域とホスト側のCC記憶領域には、ワイヤレスＵＳＢ通信を開始する前に予め、ワイヤレスＵＳＢ通信を行うために必要なＣＣが書き込み手段により書き込まれている。
【００２１】
そして、前記ホストとデバイス間でワイヤレスＵＳＢ通信を開始する際に、アソシエーション処理手段によって前記ＣＣを使用して前記デバイスとホスト間でアソシエーションが自動的に実行される。依って、従来のケーブルアソシエーション操作を行うことなく、前記デバイスとホスト間でワイヤレスＵＳＢ通信が直ちに実行される。
【発明の効果】
【００２２】
請求項１記載の発明は、ホスト側のCC記憶領域及びデバイス側のCC記憶領域に事前に書き込まれたＣＣを使用することにより、従来必要であった煩雑なケーブルアソシエーション操作を行う必要がないので、前記ホストとデバイスとのワイヤレスＵＳＢ通信を容易迅速に行うことができる。
【００２３】
請求項２記載の発明は、ホスト側のCC記憶領域及びデバイス側のCC記憶領域に事前に書き込まれたＣＣを使用することにより、従来必要であった煩雑なケーブルアソシエーション操作が不要になるので、前記ホストとデバイス間でワイヤレスＵＳＢ通信を容易迅速に実行でき、且つ、ワイヤレスＵＳＢ通信装置を安価に提供することができる。
【発明を実施するための最良の形態】
【００２４】
本発明は、新しくホストとデバイス間にてＣＣの関連付けを行う場合、上記ＵＳＢケーブルによるケーブルアソシエーション操作を無くし、前記ホストとデバイス間にて容易迅速にワイヤレスＵＳＢ通信を行えるようにするという目的を達成するため、ワイヤレスＵＳＢ通信を開始する前に、ＣＣを用いてデバイスとホスト間でアソシエーションを行うワイヤレスＵＳＢ通信方法であって、前記ＣＣを前記デバイス側のCC記憶領域及び前記ホスト側のCC記憶領域に書き込むステップと、該CC記憶領域に書き込まれた前記ＣＣを使用して該デバイスとホスト間でアソシエーションを行ってワイヤレスＵＳＢ通信を開始するステップとを備えることにより実現した。
【実施例】
【００２５】
以下、本発明の好適な一実施例を図１乃至図５に従って説明する。本実施に係るワイヤレスＵＳＢ通信装置は、複数台（例えば３台）のＰＣ（パーソナルコンピュータ）１２側すなわちホスト１１Ａ,１１Ｂ,１１Ｃ側のCC記憶領域（メモリ部）１３、並びに複数台（例えば５台）のデバイス１４Ａ,１４Ｂ,１４Ｃ,１４Ｄ,１４Ｅ側の各CC記憶領域（メモリ部）１５Ａ,１５Ｂ,１５Ｃ,１５Ｄ,１５ＥにＣＣ(Connection Context）を書き込む書き込み手段１７と、前記CC記憶領域１５Ａ,１５Ｂ,１５Ｃ,１５Ｄ,１５Ｅに書き込まれたＣＣを使用して、該デバイス１４Ａ,１４Ｂ,１４Ｃ,１４Ｄ,１４Ｅとホスト１１Ａ,１１Ｂ,１１Ｃ間でアソシエーションを行うアソシエーション処理手段１８とを備え、新たにワイヤレスＵＳＢ通信を開始する際に、前記ＣＣを使用してデバイス１４Ａ,１４Ｂ,１４Ｃ,１４Ｄ,１４Ｅとホスト１１Ａ,１１Ｂ,１１Ｃ間でアソシエーションを自動的に実行することにより、煩雑なケーブルアソシエーション操作を行うことなく、ワイヤレスＵＳＢ通信を即座に開始できるように構成したことを特徴とする。なお、本実施例では、ホスト１１Ａ,１１Ｂ,１１Ｃ側のCC記憶領域は、実際には前記ＰＣ１２に内蔵されたＨＤＤ等のレジストリのCC記憶領域１３であるが、之に限定せられるべきではない。
【００２６】
次に、本実施例によるワイヤレスＵＳＢ通信方法による具体的なアソシエーション処理手順を図２乃至図５に従って説明する。図中、１１Ａはホスト(CHID=1)、１２はＣＣ記憶領域(HDDのレジストリ等）１３を有するＰＣである。また、１４ＡはＣＣ記憶領域１５Ａを有するデバイス(CDID=1)である。
【００２７】
本発明において上記ＣＣの関連付けを行う際は、図２に示すように、まずドライバによるインストール時にＰＣ１２のCC記憶領域１３にコネクションコンテクストＣＣ、即ち、CHID（１）〜CHID（５）、 CDID（１）〜CDID（５）、並びにCK（１１）〜（１５）、CK（２１）〜CK（２５）、CK（３１）〜CK（３５）、CK（４１）〜CK（４５）及びCK（５１）〜CK（５５）の情報データを書き込みソフト等にて事前に書き込んで記憶させる。
【００２８】
又、デバイス(CDID=1)１４Ａにも事前（例えば製品出荷時など）に、該デバイス(CDID=1)１４Ａ内部のＣＣ記憶領域１５ＡにコネクションコンテクストＣＣを書き込みソフト等にて書き込んで記憶させる。このときのコネクションコンテクストＣＣは具体的には、CHID（１）〜CHID（３）、 CDID（１）、並びにCK（１１）、CK（２１）、CK（３１）、CK（４１）及びCK（５１）である。
【００２９】
尚、図２においては、デバイス(CDID=１)１４Ａ以外の４台のデバイス(CDID=２)１４Ｂ、デバイス(CDID=３)１４Ｃ、デバイス(CDID=４)１４Ｄ及びデバイス(CDID=５)１５Ｅについては図示を省略しているが、上記同様に事前（例えば製品出荷時など）に、個々のＣＣ記憶領域１５Ｂ,１５Ｃ，１５Ｄ,１５Ｅに所要のコネクションコンテクストＣＣを書き込んで記憶させることができる。
【００３０】
次に、図３に示すように、ＰＣ１２にホスト(CHID=1)１１Ａを接続（ＵＳＢ接続等）する。そして、ＰＣ１２のCC記憶領域１３の所定範囲（図３中の網掛けの範囲）内に予め書き込んだCHID(1)、(CDID=1)及びCK（１１）を使用することにより、前記ホスト(CHID=1)１１Ａとデバイス(CDID=1)１４Ａは、コネクションコンテクストCCの関連付けが自動的に行われる。したがって、従来のケーブルアソシエーション操作を行うことなく、直ちにワイヤレスＵＳＢ通信を開始することができる。ホスト(CHID=１)１１Ａと残りの４台の上記デバイス1４Ｂ，１４Ｃ，１４Ｄ，１４Ｅについても、前記同様にしてワイヤレスＵＳＢ通信の開始が可能になる。
【００３１】
図４はＰＣ１２に新しくホスト(CHID=2)１１Ｂを接続（ＵＳＢ接続等）して、該ホスト(CHID=2)１１Ｂとデバイス(CDID=１)１４Ａ間でコネクションコンテクストCCの関連付けを行うときの状態を示す。同図において、ＰＣ１２のCC記憶領域１３の所定範囲（図４中の網掛けの範囲）内に事前に書き込んだCHID(２)、(CDID=1)及びCK（２１）を使用することにより、前記ホスト(CHID=２)１１Ｂとデバイス(CDID=１)１４Ａ間でコネクションコンテクストCCの関連付けが自動的に行われる。したがって、従来のケーブルアソシエーション操作を行うことなく、直ちにワイヤレスＵＳＢ通信を行うことができる。前記ホスト(CHID=2)１１Ｂと残り４台のデバイス1４Ｂ、１４Ｃ,１４Ｄ,１４Ｅとは、上記同様にしてワイヤレスＵＳＢ通信を開始することが可能になる。
【００３２】
次に、図５はＰＣ１２にホスト(CHID=2)１１Ａを接続（ＵＳＢ接続等）して、デバイス(CDID=２)１４Ｂに対してコネクションコンテクストCCの関連付けを行うときの状態を示す。同図において、ＰＣ１２のCC記憶領域１３の所定範囲（図５中の網掛けの範囲）内に事前に書き込んだCHID(１)、(CDID=２)及びCK（１２）を使用することにより、前記ホスト(CHID=１)１１Ａとデバイス(CDID=２)１４Ｂ間において、コネクションコンテクストCCの関連付けが自動的に行われる。したがって、従来のケーブルアソシエーション操作を行うことなく、直ちにワイヤレスＵＳＢ通信を開始することができる。
【００３３】
以上説明したように本実施例によれば、新たにワイヤレスＵＳＢ通信を行うべく、ホストとデバイス間にてコネクションコンテクストCCの関連付けを行う場合、ホスト側のCC記憶領域及びデバイス側のCC記憶領域に事前に書き込まれたＣＣを使用することにより、前記ホストとデバイス間でコネクションコンテクストCCの関連付けが自動的に実行される。
【００３４】
斯くして、ユーザは特に特定のホストとデバイス間においてセキュリティに問題がないと判明している場合、従来の如くケーブルアソシエーション操作を行う必要がないので、煩雑なアソシエーション操作作業から開放され、ワイヤレスＵＳＢ通信を瞬時に開始することができる。
【００３５】
本発明は、本発明の精神を逸脱しない限り種々の改変を為すことができ、そして、本発明が該改変されたものに及ぶことは当然である。
【図面の簡単な説明】
【００３６】
【図１】本発明の一実施例を示し、ワイヤレスＵＳＢ通信装置のシステム構成図。
【図２】本発明の一実施例を示し、ＰＣとデバイス(CDID=1)の構成を示す説明図。
【図３】一実施例に係るＰＣとデバイス(CDID=1)とホスト(CHID=1)の構成を示す説明図。
【図４】一実施例に係るＰＣとデバイス(CDID=1)とホスト(CHID=２)の構成を示す説明図。
【図５】一実施例に係るＰＣとデバイス(CDID=２)とホスト(CHID=１)の構成を示す説明図。
【図６】従来例に係るＰＣとデバイス(CDID=1)とホスト(CHID=1)の構成を示す説明図。
【図７】従来例に係るＰＣとデバイス(CDID=２)とホスト(CHID=1)の構成を示す説明図
【図８】従来例に係るＰＣとデバイス(CDID=1)とホスト(CHID=２)の構成を示す説明図。
【符号の説明】
【００３７】
１１Ａ  ホスト(CHID=1)  
１２    ＰＣ  
１３    CC記憶領域（メモリ部）  
１４Ａ  デバイス(CDID=1)  
１５Ａ  CC記憶領域（メモリ部）  
【図１】
2009206972.tif 000003
【図２】
2009206972.tif 000004
【図３】
2009206972.tif 000005
【図４】
2009206972.tif 000006
【図５】
2009206972.tif 000007
【図６】
2009206972.tif 000008
【図７】
2009206972.tif 000009
【図８】
2009206972.tif 000010